(57)【要約】      （修正有）【課題】ゴルフコンペにおけるラウンド組の組み合わせ作成に際し、ゴルフ場に応じて最適なプレーヤーの組み合わせを提供する。【解決手段】ゴルフ場の指定とゴルフコンペに参加する複数プレーヤー情報、ハンディキャップ情報の入出力端末装置２００と、入力された前記プレーヤー情報、ハンディキャップ情報からプレーヤーを複数のラウンド組に分ける全組み合わせパターンを作成する組み合わせ作成装置１００と、前記指定されたゴルフ場において過去にプレーした複数プレーヤーの、少なくともハンディキャップ値、実際のスコア、ラウンド時間を含むゴルフ場情報をあらかじめ記憶し、前記ゴルフ場情報を基に前記全組み合わせパターンに対する組み合わせの良さを表す指標を算出するゴルフ場情報記憶装置３００とから成る。また、前記組み合わせ作成装置は前記組み合わせの良さを表す指標に基づいて前記全組み合わせパターンから最適な組み合わせを抽出する。【選択図】図１
2008192056.tif 000002
【特許請求の範囲】
【請求項１】
ゴルフコンペに参加する複数のプレーヤーのラウンド組の組み合わせを作成するゴルフコンペ支援システムにおいて、
ゴルフ場の指定と前記複数のプレーヤーに関する情報としてプレーヤー情報、ハンディキャップ情報を入力するための入出力端末装置と、
入力された前記プレーヤー情報、ハンディキャップ情報から前記複数のプレーヤーについてこれを複数のラウンド組に分ける全組み合わせパターンを作成する組み合わせ作成装置と、
前記指定されたゴルフ場において過去にプレーした複数の過去プレーヤーの、少なくともハンディキャップ値、実際のスコア、ラウンド時間を含むゴルフ場情報をあらかじめ記憶していると共に、前記ゴルフ場情報を基に前記全組み合わせパターンに対する組み合わせの良さを表す指標を算出するゴルフ場情報記憶装置とから成り、
前記組み合わせ作成装置はまた、前記組み合わせの良さを表す指標に基づいて前記全組み合わせパターンから最適な組み合わせを抽出して前記入出力端末装置に送ることを特徴とするゴルフコンペ支援システム。
【請求項２】
前記入出力端末装置は、前記複数のプレーヤーに関する情報として少なくとも、氏名を含む前記プレーヤー情報と前記ハンディキャップ情報とを入力するほか、組み合わせに関する条件を入力するものであり、
前記組み合わせ作成装置は、入力された前記組み合わせに関する条件と前記組み合わせの良さを表す指標に基づいて前記全組み合わせパターンから前記最適な組み合わせを抽出することを特徴とする請求項１に記載のゴルフコンペ支援システム。
【請求項３】
前記組み合わせ作成装置は、
前記入出力端末装置からの前記プレーヤーに関する情報を記憶するプレーヤー情報記憶手段と、
作成した全組み合わせパターンを組み合わせ候補として記憶する組み合わせ候補記憶手段と、
前記入出力端末装置からの前記組み合わせに関する条件を記憶する組み合わせ条件記憶手段と、
前記プレーヤー情報記憶手段、前記組み合わせ候補記憶手段、前記組み合わせ条件記憶手段に記憶されている各情報を用いて前記全組み合わせパターンを作成すると共に、前記最適な組み合わせの抽出を行う組み合わせ作成手段とを含むことを特徴とする請求項２に記載のゴルフコンペ支援システム。
【請求項４】
前記組み合わせ作成装置は更に、前記最適な組み合わせを抽出して前記入出力端末装置に送った後、前記入出力端末装置に対して前記最適な組み合わせによるゴルフコンペの予約確定入力を促す予約確定手段を含むことを特徴とする請求項１〜３のいずれかに記載のゴルフコンペ支援システム。
【請求項５】
前記組み合わせ作成装置と前記ゴルフ場情報記憶装置とは、前記入出力端末装置が通信回線で接続可能なＷｅｂサイトに導入され、前記ゴルフ場情報記憶装置には複数のゴルフ場に関する前記ゴルフ場情報が記憶されていることを特徴とする請求項１〜４のいずれかに記載のゴルフコンペ支援システム。
【請求項６】
前記組み合わせ作成装置は、前記入出力端末装置が通信回線で接続可能なＷｅｂサイトに導入され、前記ゴルフ場情報記憶装置はゴルフ場ごとに導入されて前記Ｗｅｂサイトと通信回線で接続可能にされると共に、導入されたゴルフ場に関する前記ゴルフ場情報が記憶されていることを特徴とする請求項１〜４のいずれかに記載のゴルフコンペ支援システム。
【請求項７】
入出力端末装置から入力されたゴルフ場の指定とゴルフコンペに参加する複数のプレーヤーに関する情報としてのプレーヤー情報、ハンディキャップ情報とを受けて前記複数のプレーヤーのラウンド組の組み合わせを作成するための組み合わせ作成装置であって、
入力された前記プレーヤー情報、ハンディキャップ情報から前記複数のプレーヤーについてこれを複数のラウンド組に分ける全組み合わせパターンを作成する組み合わせ作成手段と、
前記指定されたゴルフ場において過去にプレーした複数の過去プレーヤーの、少なくともハンディキャップ値、実際のスコア、ラウンド時間を含むゴルフ場情報をあらかじめ記憶していると共に、前記ゴルフ場情報を基に前記全組み合わせパターンに対する組み合わせの良さを表す指標を算出するゴルフ場情報記憶手段とを有し、
前記組み合わせ作成手段はまた、前記組み合わせの良さを表す指標に基づいて前記全組み合わせパターンから最適な組み合わせを抽出することを特徴とする組み合わせ作成装置。
【請求項８】
前記入出力端末装置から、前記複数のプレーヤーに関する情報として少なくとも、氏名を含む前記プレーヤー情報と前記ハンディキャップ情報とが入力されるほか、組み合わせに関する条件が入力され、
前記組み合わせ作成手段は、入力された前記組み合わせに関する条件と前記組み合わせの良さを表す指標に基づいて前記全組み合わせパターンから前記最適な組み合わせを抽出することを特徴とする請求項７に記載の組み合わせ作成装置。
【請求項９】
ゴルフコンペに参加する複数のプレーヤーのラウンド組の組み合わせを作成するゴルフコンペ支援方法において、
入出力端末装置からゴルフ場の指定と前記複数のプレーヤーに関する情報としてプレーヤー情報、ハンディキャップ情報を入力し、
入力された前記プレーヤー情報、ハンディキャップ情報から前記複数のプレーヤーについてこれを複数のラウンド組に分ける全組み合わせパターンを作成し、
前記指定されたゴルフ場において過去にプレーした複数の過去プレーヤーの、少なくともハンディキャップ値、実際のスコア、ラウンド時間を含むゴルフ場情報をあらかじめ記憶装置に記憶しておき、前記ゴルフ場情報を基に、作成された前記全組み合わせパターンに対する組み合わせの良さを表す指標を算出し、
前記組み合わせの良さを表す指標に基づいて前記全組み合わせパターンから最適な組み合わせを抽出することを特徴とするゴルフコンペ支援方法。
【請求項１０】
前記入出力端末装置から前記複数のプレーヤーに関する情報として少なくとも、氏名を含む前記プレーヤー情報と前記ハンディキャップ情報とを入力するほか、組み合わせに関する条件を入力し、
入力された前記組み合わせに関する条件と前記組み合わせの良さを表す指標に基づいて前記全組み合わせパターンから前記最適な組み合わせを抽出することを特徴とする請求項９に記載のゴルフコンペ支援方法。
【請求項１１】
コンピュータに、ゴルフコンペに参加する複数のプレーヤーのラウンド組の組み合わせ作成を実行させるためのプログラムにおいて、
入出力端末装置から入力されたゴルフ場の指定及び前記複数のプレーヤーに関する情報としてのプレーヤー情報、ハンディキャップ情報から前記複数のプレーヤーについてこれを複数のラウンド組に分ける全組み合わせパターンを作成するステップと、
あらかじめ記憶装置に記憶されている、前記指定されたゴルフ場において過去にプレーした複数の過去プレーヤーの、少なくともハンディキャップ値、実際のスコア、ラウンド時間を含むゴルフ場情報を基に、作成された前記全組み合わせパターンに対する組み合わせの良さを表す指標を算出するステップと、
前記組み合わせの良さを表す指標に基づいて前記全組み合わせパターンから最適な組み合わせを抽出するステップと、
を実行させることを特徴とするプログラム。
【請求項１２】
前記入出力端末装置から前記複数のプレーヤーに関する情報として少なくとも、氏名を含む前記プレーヤー情報と前記ハンディキャップ情報とを入力するほか、組み合わせに関する条件が入力され、
更に、入力された前記組み合わせに関する条件と前記組み合わせの良さを表す指標に基づいて前記全組み合わせパターンから前記最適な組み合わせを抽出するステップを実行させることを特徴とする請求項１１に記載のプログラム。
【発明の詳細な説明】
【技術分野】
【０００１】
本発明は、ゴルフコンペの開催を支援するゴルフコンペ支援システムに関し、特にゴルフコンペに参加するプレーヤーの組み合わせ作成時に、ゴルフ場の過去情報を利用することにより、よりスムーズなラウンドが可能な組み合わせを作成して提供することのできるゴルフコンペ支援システム及び支援方法に関する。
【背景技術】
【０００２】
ゴルフコンペを開催しようとする場合、ゴルフコンペ幹事はゴルフ場の確保に加えてこのコンペに参加するプレーヤーの組み合わせをラウンド組別に作成することが必要となる。プレーヤーの組み合わせの作成に際しては、通常、ゴルフ場側が組み合わせ作成に介入することはしないため、ゴルフ場ごとにハンディキャップ（以下、ＨＣと略称する）その他によるラウンド時間の長短の傾向があっても、それを生かした組み合わせ作成はできなかった。
【０００３】
ゴルフコンペ幹事は、参加するプレーヤーの申告するＨＣ情報をもとに、ある程度バランスを考慮して組み合わせを作成しようとするが、ゴルフ場におけるラウンド時間の傾向を反映する方法はないため、スムーズなラウンドを実現する組み合わせを作成することは困難だった。従って、ゴルフコンペ幹事は組み合わせ作成作業そのものが大変であった。
【０００４】
ゴルフコンペに際してプレーヤーの組み合わせを作成する方法の一例が特許文献１に開示されている。この方法では、プレーヤーの氏名及びＨＣ情報を登録し、組み合わせ条件を入力することで、ラウンド組ごとのＨＣの合計のばらつきが最小になるような組み合わせを作成するようにしている。しかしながら、前述したように、ゴルフ場にはＨＣ、その他によるラウンド時間の長短の傾向があり、このような点を反映させない限り、スムーズなラウンドを実現する組み合わせを作成することは困難である。
【０００５】
【特許文献１】特開２００４−３４８２９７号公報
【発明の開示】
【発明が解決しようとする課題】
【０００６】
本発明の課題は、ゴルフ場によってスコアやラウンド時間にばらつきがあることに着目し、ゴルフ場で過去にラウンドした過去プレーヤーのＨＣ情報、実際のスコア、ラウンド時間の傾向を反映させた条件を適用することにより、ゴルフ場に応じて最適なプレーヤーの組み合わせを作成できるようにすることにある。
【課題を解決するための手段】
【０００７】
本発明は、入出力端末装置側で、プレーヤー情報、ＨＣ情報、組み合わせ条件を設定すると、ゴルフ場で持っている過去にラウンドした過去プレーヤーのＨＣと実際のスコア、ラウンド時間の統計情報に突き合わせ、プレーヤーの組み合わせを最適に作成するシステムである。最適の定義は、例えば、ゴルフコンペ全体の想定プレー時間が最短になるようにするなどで、ゴルフ場側で決定する。このようにして、ゴルフコンペ幹事が、入出力端末装置から予約時にプレーヤー情報、ＨＣ情報、組み合わせ条件を入力すると、最適な組み合わせが作成される。これにより、ゴルフコンペ幹事は楽に組み合わせを作成することができ、作成された組み合わせはゴルフ場の過去情報を基にした最適なものになる。
【０００８】
具体的には、本発明によるゴルフコンペ支援システムは、ゴルフコンペに参加する複数のプレーヤーのラウンド組の組み合わせを作成するものであり、ゴルフ場の指定と前記複数のプレーヤーに関する情報としてプレーヤー情報、ハンディキャップ情報を入力するための入出力端末装置と、入力された前記プレーヤー情報、ハンディキャップ情報から前記複数のプレーヤーについてこれを複数のラウンド組に分ける全組み合わせパターンを作成する組み合わせ作成装置と、前記指定されたゴルフ場において過去にプレーした複数の過去プレーヤーの、少なくともハンディキャップ値、実際のスコア、ラウンド時間を含むゴルフ場情報をあらかじめ記憶していると共に、前記ゴルフ場情報を基に前記全組み合わせパターンに対する組み合わせの良さを表す指標を算出するゴルフ場情報記憶装置とから成り、前記組み合わせ作成装置はまた、前記組み合わせの良さを表す指標に基づいて前記全組み合わせパターンから最適な組み合わせを抽出して前記入出力端末装置に送ることを特徴とする。
【０００９】
本ゴルフコンペ支援システムにおいては、前記入出力端末装置は、前記複数のプレーヤーに関する情報として少なくとも、氏名を含む前記プレーヤー情報と前記ハンディキャップ情報とを入力するほか、組み合わせに関する条件を入力するものであり、この場合、前記組み合わせ作成装置は、入力された前記組み合わせに関する条件と前記組み合わせの良さを表す指標に基づいて前記全組み合わせパターンから前記最適な組み合わせを抽出する。
【００１０】
本ゴルフコンペ支援システムにおいては、前記組み合わせ作成装置は、前記入出力端末装置からの前記プレーヤーに関する情報を記憶するプレーヤー情報記憶手段と、作成した全組み合わせパターンを組み合わせ候補として記憶する組み合わせ候補記憶手段と、前記入出力端末装置からの前記組み合わせに関する条件を記憶する組み合わせ条件記憶手段と、前記プレーヤー情報記憶手段、前記組み合わせ候補記憶手段、前記組み合わせ条件記憶手段に記憶されている各情報を用いて前記全組み合わせパターンを作成すると共に、前記最適な組み合わせの抽出を行う組み合わせ作成手段とを含む。
【００１１】
前記組み合わせ作成装置は更に、前記最適な組み合わせを抽出して前記入出力端末装置に送った後、前記入出力端末装置に対して前記最適な組み合わせによるゴルフコンペの予約確定入力を促す予約確定手段を含んでも良い。
【００１２】
本ゴルフコンペ支援システムは、前記組み合わせ作成装置と前記ゴルフ場情報記憶装置とが、前記入出力端末装置が通信回線で接続可能なＷｅｂサイトに導入される場合、前記ゴルフ場情報記憶装置には複数のゴルフ場に関する前記ゴルフ場情報が記憶されている。
【００１３】
本ゴルフコンペ支援システムはまた、前記組み合わせ作成装置が、前記入出力端末装置が通信回線で接続可能なＷｅｂサイトに導入される場合、前記ゴルフ場情報記憶装置はゴルフ場ごとに導入されて前記Ｗｅｂサイトと通信回線で接続可能にされると共に、導入されたゴルフ場に関する前記ゴルフ場情報が記憶されている。
【００１４】
本発明によればまた、入出力端末装置から入力されたゴルフ場の指定とゴルフコンペに参加する複数のプレーヤーに関する情報としてのプレーヤー情報、ハンディキャップ情報とを受けて前記複数のプレーヤーのラウンド組の組み合わせを作成するための組み合わせ作成装置が提供される。本組み合わせ作成装置は、入力された前記プレーヤー情報、ハンディキャップ情報から前記複数のプレーヤーについてこれを複数のラウンド組に分ける全組み合わせパターンを作成する組み合わせ作成手段と、前記指定されたゴルフ場において過去にプレーした複数の過去プレーヤーの、少なくともハンディキャップ値、実際のスコア、ラウンド時間を含むゴルフ場情報をあらかじめ記憶していると共に、前記ゴルフ場情報を基に前記全組み合わせパターンに対する組み合わせの良さを表す指標を算出するゴルフ場情報記憶手段とを有し、前記組み合わせ作成手段はまた、前記組み合わせの良さを表す指標に基づいて前記全組み合わせパターンから最適な組み合わせを抽出することを特徴とする。
【００１５】
本組み合わせ作成装置は、前記入出力端末装置から、前記複数のプレーヤーに関する情報として少なくとも、氏名を含む前記プレーヤー情報と前記ハンディキャップ情報とが入力されるほか、組み合わせに関する条件が入力される場合、前記組み合わせ作成手段は、入力された前記組み合わせに関する条件と前記組み合わせの良さを表す指標に基づいて前記全組み合わせパターンから前記最適な組み合わせを抽出する。
【００１６】
本発明によれば更に、ゴルフコンペに参加する複数のプレーヤーのラウンド組の組み合わせを作成するゴルフコンペ支援方法が提供される。本ゴルフコンペ支援システムにおいては、入出力端末装置からゴルフ場の指定と前記複数のプレーヤーに関する情報としてプレーヤー情報、ハンディキャップ情報を入力し、入力された前記プレーヤー情報、ハンディキャップ情報から前記複数のプレーヤーについてこれを複数のラウンド組に分ける全組み合わせパターンを作成し、前記指定されたゴルフ場において過去にプレーした複数の過去プレーヤーの、少なくともハンディキャップ値、実際のスコア、ラウンド時間を含むゴルフ場情報をあらかじめ記憶装置に記憶しておき、前記ゴルフ場情報を基に、作成された前記全組み合わせパターンに対する組み合わせの良さを表す指標を算出し、前記組み合わせの良さを表す指標に基づいて前記全組み合わせパターンから最適な組み合わせを抽出することを特徴とする。
【００１７】
本ゴルフコンペ支援システムにおいてはまた、前記入出力端末装置から前記複数のプレーヤーに関する情報として少なくとも、氏名を含む前記プレーヤー情報と前記ハンディキャップ情報とを入力するほか、組み合わせに関する条件が入力される場合、入力された前記組み合わせに関する条件と前記組み合わせの良さを表す指標に基づいて前記全組み合わせパターンから前記最適な組み合わせを抽出する。
【００１８】
本発明によれば更に、コンピュータに、ゴルフコンペに参加する複数のプレーヤーのラウンド組の組み合わせ作成を実行させるためのプログラムが提供される。本プログラムは、入出力端末装置から入力されたゴルフ場の指定及び前記複数のプレーヤーに関する情報としてのプレーヤー情報、ハンディキャップ情報から前記複数のプレーヤーについてこれを複数のラウンド組に分ける全組み合わせパターンを作成するステップと、あらかじめ記憶装置に記憶されている、前記指定されたゴルフ場において過去にプレーした複数の過去プレーヤーの、少なくともハンディキャップ値、実際のスコア、ラウンド時間を含むゴルフ場情報を基に、作成された前記全組み合わせパターンに対する組み合わせの良さを表す指標を算出するステップと、前記組み合わせの良さを表す指標に基づいて前記全組み合わせパターンから最適な組み合わせを抽出するステップとを実行させることを特徴とする。
【００１９】
本プログラムにおいてはまた、前記入出力端末装置から前記複数のプレーヤーに関する情報として少なくとも、氏名を含む前記プレーヤー情報と前記ハンディキャップ情報とを入力するほか、組み合わせに関する条件が入力される場合、更に、入力された前記組み合わせに関する条件と前記組み合わせの良さを表す指標に基づいて前記全組み合わせパターンから前記最適な組み合わせを抽出するステップを実行させることを特徴とする。
【発明の効果】
【００２０】
第一の効果は、より多くの組がラウンドできるようになり、ゴルフ場に利点があるということである。その理由は、ゴルフ場の過去情報であるゴルフ場情報を用いることにより、組み合わせの良さを表す指標が算出できるため、ゴルフコンペ全体のラウンド時間を最短にする組み合わせが作成可能であることによる。
【００２１】
第二の効果は、プレーヤーのラウンド中の待ち時間を短縮することができ、プレーヤーに利点があるということである。その理由は、組み合わせの良さを表す指標が算出できるため、ゴルフコンペ全体のラウンド時間を最短にする組み合わせが作成可能であることによる。
【００２２】
第三の効果は、ゴルフコンペ幹事の作業が簡易化されることである。その理由は、プレーヤー情報とＨＣ情報、必要に応じて組み合わせ条件を入力するだけで、自動的に最適な組み合わせが作成可能であることによる。
【発明を実施するための最良の形態】
【００２３】
本発明によるゴルフコンペ支援システムの概要は、以下の通りである。
【００２４】
ゴルフコンペ幹事は入出力端末装置から組み合わせ作成装置にアクセスし、ゴルフコンペに参加する複数のすべてのプレーヤーについてプレーヤー情報、ＨＣ情報を入力する。
【００２５】
組み合わせ作成装置は、入力された複数のプレーヤー情報、ＨＣ情報を記憶し、複数のプレーヤーについて考えられるラウンド組の全組み合わせパターンを作成する。一方、全組み合わせパターンに対し、組み合わせの良さを表す指標が算出される。組み合わせの良さを表す指標は、ゴルフ場ごとに異なり、各ゴルフ場において過去にプレーした過去プレーヤーの、少なくともＨＣ値と実際のスコア、ラウンド時間を含むゴルフ場情報をもとに算出する。
【００２６】
ゴルフコンペ幹事は、必要に応じて組み合わせに関する条件を入出力端末装置から入力する。
【００２７】
組み合わせ作成装置は、作成した全組み合わせパターンの中から、入力された組み合わせに関する条件に当てはまらない組み合わせを削除していく。その結果、組み合わせ作成装置は、残った候補の中から、組み合わせの良さを表す指標をもとに最適な組み合わせを抽出する。そして、抽出された最適な組み合わせを入出力端末装置にて表示あるいは出力する。ゴルフコンペ幹事は、組み合わせを確認し、満足できる組み合わせであればゴルフコンペの予約手続きを行う。
【００２８】
次に、本発明によるゴルフコンペ支援システムの好ましい実施形態について説明する。
【００２９】
本実施形態によるゴルフコンペ支援システムは、図１に示すように、組み合わせ作成装置１００、入出力端末装置２００、ゴルフ場情報記憶装置３００から構成される。
【００３０】
組み合わせ作成装置１００は、プレーヤー情報記憶手段１０１、組み合わせ作成手段１０２、予約確定手段１０３、組み合わせ候補記憶手段１０４、組み合わせ条件記憶手段１０５から構成される。プレーヤー情報記憶手段１０１は、入出力端末装置２００から入力される複数のプレーヤーについて氏名、性別、年齢等に関するプレーヤー情報とＨＣ情報とを記憶する。組み合わせ作成手段１０２は、プレーヤー情報記憶手段１０１に記憶されているプレーヤー情報、ＨＣ情報から、複数のプレーヤーについて考えられるラウンド組の全組み合わせパターンを作成する。予約確定手段１０３は、入出力端末装置２００の予約確定手段２０３から予約確定の指示を受けると、ゴルフ場と連携して実際の予約を確定させる。組み合わせ候補記憶手段１０４は、組み合わせ作成手段１０２で作成された全組み合わせパターンを記憶する。組み合わせ条件記憶手段１０５は、入出力端末装置２００の組み合わせ条件入力手段２０２から入力される条件を記憶する。
【００３１】
このような組み合わせ作成装置１００は、コンピュータで実現することができる。この場合、図１に示される組み合わせ作成装置１００の構成は機能ブロック図として考えることができ、組み合わせ作成手段１０２及び予約確定手段１０３はＣＰＵで実現され、プレーヤー情報記憶手段１０１、組み合わせ候補記憶手段１０４、及び組み合わせ条件記憶手段１０５は１つの記憶装置で実現できる。
【００３２】
入出力端末装置２００は、プレーヤー情報入力手段２０１、組み合わせ条件入力手段２０２、予約確定手段２０３から構成される。プレーヤー情報入力手段２０１を用いてゴルフコンペに参加するプレーヤーのプレーヤー情報、ＨＣ情報などを複数のプレーヤーに関する情報として入力する。また、組み合わせ条件入力手段２０２を用いて、あるプレーヤーの組指定、同じ組にしたいプレーヤー、別々の組にしたいプレーヤーというような各種条件を入力して指定する。更に、予約確定手段２０３を用いて、組み合わせ作成装置１００の予約確定手段１０３に予約確定の指示を出す。後述される本ゴルフコンペ支援システムの運用形態にもよるが、通常、入出力端末装置２００は、インターネット等の通信回線経由で通信可能なパーソナルコンピュータ（以下、ＰＣと略称する）で実現され、プレーヤー情報入力手段２０１、組み合わせ条件入力手段２０１、予約確定手段２０３は、いずれもＰＣのディスプレイ上に表示される入力項目に対してゴルフコンペ幹事が入力を行うことで実現される。勿論、ディスプレイ上に表示される入力項目情報は、入出力端末装置２００から組み合わせ作成装置１００にアクセスすることにより、組み合わせ作成装置１００から送られる。
【００３３】
ゴルフ場情報記憶装置３００は、ゴルフ場情報記憶手段３０１、組み合わせ指標算出手段３０２から構成される。ゴルフ場情報記憶手段３０１には、当該ゴルフ場で、様々なＨＣの過去プレーヤーについて各プレーヤーが実際どのくらいのスコアでラウンドし、ラウンド時間がどれくらいかかったかという情報をあらかじめ収集し、ゴルフ場情報として記憶しておく。組み合わせ指標算出手段３０２は、組み合わせの良さを表す指標を算出するが、これについては、後で説明する。
【００３４】
次に、上記の構成によるゴルフコンペ支援システムの主な運用形態について説明する。
【００３５】
（第１の運用形態）
ゴルフ場の予約サービスを提供しているＷｅｂサイトに組み合わせ作成装置１００を導入する一方、１つ以上のゴルフ場に当該ゴルフ場専用のゴルフ場情報記憶装置３００を導入して組み合わせ作成装置１００からアクセス可能とし、ゴルフコンペ幹事がＰＣからインターネット等の通信回線経由で組み合わせ作成装置１００にアクセスする。
【００３６】
（第２の運用形態）
ゴルフ場の予約サービスを提供しているＷｅｂサイトに組み合わせ作成装置１００とゴルフ場情報記憶装置３００とを導入し、ゴルフコンペ幹事がＰＣからインターネット等の通信回線経由で組み合わせ作成装置１００にアクセスする。この場合、ゴルフ場情報記憶装置３００には１つ以上のゴルフ場に関する情報が記憶される。また、組み合わせ作成装置１００とゴルフ場記憶装置３００とは１つのコンピュータで実現するのが望ましく、ゴルフ場記憶装置３００はコンピュータの持つ記憶装置で実現することが望ましい。
【００３７】
（第３の運用形態）
ゴルフ場に、組み合わせ作成装置１００、当該ゴルフ場専用のゴルフ場情報記憶装置３００及びＰＣを導入し、ゴルフ場関係者がゴルフコンペ幹事から情報提供を受けて必要な情報入力を行い組み合わせの結果を知らせるか、あるいはゴルフコンペ幹事が直接出向いて必要な情報入力を行い組み合わせの結果を得る。この場合も、組み合わせ作成装置１００とゴルフ場記憶装置３００とは１つのコンピュータで実現するのが望ましく、ゴルフ場記憶装置３００はコンピュータの持つ記憶装置で実現することが望ましい。
【００３８】
なお、いずれの運用形態においても、ゴルフ場情報記憶装置３００へのゴルフ場情報の記憶をどのようにするかは任意であり、ゴルフ場関係者に行ってもらっても良いし、予約サービスの提供業者がゴルフ場から情報の提供を受けて行っても良い。
【００３９】
次に、図２をも参照して、本ゴルフコンペ支援システムの動作の流れを上記の第１の運用形態の場合について説明する。以下の動作は、組み合わせ作成手段１０２が、図示しない記憶手段に記憶された組み合わせ作成実行用のプログラムを読み出すことにより実行される。
【００４０】
ステップＳ１：ゴルフコンペ幹事が入出力端末装置２００からインターネット経由で組み合わせ作成装置１００にアクセスして予約のための手続きを開始し、ゴルフ場を指定する。これにより、組み合わせ作成装置１００から送られてくる組み合わせ作成に必要な情報が入出力端末装置２００のディプレイ上に表示され、ゴルフコンペ幹事は、入出力端末装置２００からゴルフコンペに参加する複数のプレーヤーのプレーヤー情報、ＨＣ情報を入力する。
【００４１】
ステップＳ２：組み合わせ作成装置１００は、プレーヤー情報記憶手段１０１に、入力されたプレーヤー情報、ＨＣ情報を記憶する。
【００４２】
ステップＳ３：組み合わせ作成装置１００は、組み合わせ作成手段１０２により複数のプレーヤーについてラウンド組の全組み合わせパターンを作成し、組み合わせ候補記憶手段１０４に全組み合わせ候補として記憶する。
【００４３】
ステップＳ４：組み合わせ作成装置１００は、この全組み合わせパターンに対し、ゴルフ場情報記憶装置３００の組み合わせ指標算出手段３０２に対し、組み合わせの良さを表す指標を算出させる。この指標の算出方法については、後述する。
【００４４】
ステップＳ５：ゴルフコンペ幹事は、組み合わせに関する条件を１つずつ入出力端末装置２００から入力する。組み合わせ作成装置１００は、入力された組み合わせに関する条件を組み合わせ条件記憶手段１０５に記憶する。
【００４５】
ステップＳ６：組み合わせ作成手段１０２は、入力された組み合わせに関する条件に当てはまらない組み合わせを組み合わせ候補記憶手段１０４に記憶されている全組み合わせ候補から削除していく。
【００４６】
ステップＳ７：組み合わせ作成手段１０２は、削除の結果、組み合わせ候補が残っているかどうかを判別し、残っていなければステップＳ８に，残っていればステップＳ９に移行する。
【００４７】
ステップＳ８：組み合わせ作成手段１０２は、組み合わせ候補記憶手段１０４に組み合わせ候補が残っていない場合、組み合わせが作成できない旨を入出力端末装置２００のディスプレイに表示させる。組み合わせ作成手段１０２はまた、組み合わせ条件記憶手段１０５に記憶されている条件から、組み合わせが作成できる条件を抽出し入出力端末装置２００のディスプレイに表示させ、表示させている条件で組み合わせを作成しても良いかどうかをディスプレイ上でたずねる（ステップＳ１０）。ここで、ゴルフコンペ幹事により入出力端末装置２００からＮｏが入力された場合には組み合わせ作成開始に戻って最初から組み合わせを作成し直し、Ｙｅｓが入力された場合にはステップＳ１１に移行する。
【００４８】
ステップＳ９：組み合わせ作成手段１０２は、組み合わせに関する条件がすべて入力されるか、あるいは組み合わせに関する条件を満たす組み合わせが無くなった時点で組み合わせ候補の削除を終了する。
【００４９】
ステップＳ１１：組み合わせに関する条件を全て適用し、組み合わせ候補記憶手段１０４に候補が複数残っている場合、組み合わせ作成装置１００は、組み合わせ候補記憶手段１０４に記憶されている候補の中から、組み合わせ指標算出手段３０２で算出された指標が最も高いものを抽出し、最適な組み合わせとする。
【００５０】
ステップ１２：組み合わせ作成装置１００は、抽出された最適な組み合わせを入出力端末装置２００のディスプレイに表示させる。
【００５１】
ステップ１３：ゴルフコンペ幹事は、入出力端末装置２００のディプレイに出力表示された組み合わせを確認し、問題が無ければ予約確定手段２０３により予約操作を行う。これを受けて、組み合わせ自動作成装置１００は、予約確定手段１０３によりゴルフ場との間で実際に予約を確定する。
【００５２】
ここで、組み合わせ指標算出手段３０２について説明する。
【００５３】
ゴルフ場情報記憶装置３００のゴルフ場情報記憶手段３０１には、あらかじめ当該ゴルフ場で、複数種類のＨＣの過去のプレーヤーについて実際どのくらいのスコアでラウンドし、ラウンド時間がどれくらいかかったかという情報を収集し、ゴルフ場情報として記憶しておく。このゴルフ場情報を基に、どのような組み合わせが最適かを示す指標を算出するのが、組み合わせ指標算出手段３０２である。つまり、組み合わせ指標算出手段３０２は、ゴルフ場情報記憶手段３０１のゴルフ場情報をパラメータとする数式に基づいて指標を算出する。以下に、組み合わせ指標算出手段３０２の算出例について説明する。
【００５４】
図３に示すように、プレーヤーが１２名の場合のゴルフコンペの組み合わせ（１組４名で３組）作成について説明する。ＨＣ情報としてＨＣを入力するほか、プレーヤー情報としてプレーヤーの氏名に性別を加える。当該ゴルフ場では、各組のラウンド時間が均一化されることが、ゴルフコンペ全体のラウンド時間の短縮化につながり、最適な組み合わせであると考えたものとする。また、そのゴルフ場で過去のプレーヤーの集計をとったところ、ある組のラウンド時間は、その組のプレーヤーのＨＣ値の合計値が小さいほど短く、さらに女性の場合は、男性よりもラウンド時間が短くなる傾向にあることがわかったものとする。このような条件から、このゴルフ場における組み合わせの良さを表す指標を、以下のように設定したと仮定する。
【００５５】
組み合わせの良さを表す指標（Ｘ）：各組のラウンド時間に関する指標値（Ｙ）の差が小さいほど大きな値になる数式
【００５６】
例えば、３組のゴルフコンペにおいて、各組のラウンド時間に関する指標値（Ｙ）をそれぞれＹ１、Ｙ２、Ｙ３とし、Ｙ１〜Ｙ３の平均をＹＡとすると、Ｙ１〜Ｙ３それぞれについて、ＹＡとの差を２乗して加算した値が小さいほど、各組のラウンド時間に関する指標値の差が小さいと言えるので、組み合わせの良さを表す指標（Ｘ）を以下の式に基づいて算出する。
【００５７】
Ｘ＝１００−｛(ＹＡ−Ｙ１）２＋(ＹＡ−Ｙ２）２＋(ＹＡ−Ｙ３）２｝
【００５８】
各組のラウンド時間に関する指標値（Ｙ）：Ｙ＝各組における各プレーヤーのラウンド時間に関する指標（Ｚ）の合計値
【００５９】
各プレーヤーのラウンド時間に関する指標（Ｚ）：Ｚ＝男性：（ＨＣ＋１００）、女性：（ＨＣ＋１００−１０）
【００６０】
ここで、特許文献１に記載されているような方法により、ＨＣの合計値のバランスのみを考慮して組み合わせを作成すると、図４のようになる。
【００６１】
図４において、ＨＣではバランスがとれているが、各組のラウンド時間に関する指標値（Ｙ）を比較すると、最後の３組目の値だけが大きくなっている。これは、３組目だけがラウンド時間が長く、１組、２組目との間が空いてしまい、ゴルフコンペ全体のラウンド時間も長くなってしまう可能性が高いことを意味する。
【００６２】
一方、組み合わせの良さを表す指標値（Ｘ）の高い組み合わせは、図５のようになる。
【００６３】
図５において、ＨＣの合計値は各組でバラバラであるが、各組のラウンド時間に関する指標値（Ｙ）はほぼ等しい。これは、各組のラウンド時間の差が小さく、一定間隔でラウンドでき、ゴルフコンペ全体としても短い時間でラウンドできる可能性が高いことを意味する。
【００６４】
なお、上記説明では、組み合わせ指標算出手段３０２で用いるプレーヤー情報として、性別を加えているが、このほか年齢やゴルフ歴などの情報を加えて、さまざまな観点から傾向を求めることも可能である。
【００６５】
また、上記の動作は、基本的に前述した第、第３の運用形態においてもおなじである。つまり、組み合わせ作成装置１００、入出力端末装置２００、ゴルフ場情報記憶装置３００の間に、インターネット等の通信回線が介在するか、しないかだけの相違である。
【００６６】
以上説明してきたように、本発明によれば、組み合わせの作成に際してゴルフ場に固有のゴルフ場情報を用いることにより、組み合わせの良さを表す指標が算出できるため、ゴルフコンペ全体のラウンド時間を最短にする組み合わせが作成可能である。
【００６７】
また、組み合わせの良さを表す指標が算出できるため、ゴルフコンペ全体のラウンド時間を最短にする組み合わせが作成可能であり、プレーヤーの待ち時間を最短にすることができる。
【００６８】
更に、プレーヤー情報、ＨＣ情報、組み合わせ条件を入力するだけで、自動的に最適な組み合わせが作成可能であり、ゴルフコンペ幹事の作業を簡易化することができる。
【００６９】
これにより、本発明は、ゴルフ場の予約サービスなどを提供しているＷｅｂサイトで組み合わせ作成装置を導入し、ゴルフ場がゴルフ場情報記憶装置を導入することにより、導入しているゴルフ場への集客増加が見込める。また、ゴルフ場の予約サービスなどを提供しているＷｅｂサイトで、このサービスを提供することにより、サイトへの集客増加が見込める。
【図面の簡単な説明】
【００７０】
【図１】図１は、本発明によるゴルフコンペ支援システムの実施形態を示すブロック構成図である。
【図２】本発明によるゴルフコンペ支援システムによる組み合わせ作成の動作推移を説明するためのフローチャート図である。
【図３】本発明による組み合わせ作成のために入力されるプレーヤー情報及びハンディキャップ情報の入力例を示した図である。
【図４】従来の組み合わせ作成方法により作成された組み合わせ例を示した図である。
【図５】本発明の組み合わせ方法により作成された組み合わせ例を示した図である。
【符号の説明】
【００７１】
１００    組み合わせ作成装置
２００    入出力端末装置
３００    ゴルフ場情報記憶装置
【図１】
2008192056.tif 000003
【図２】
2008192056.tif 000004
【図３】
2008192056.tif 000005
【図４】
2008192056.tif 000006
【図５】
2008192056.tif 000007